(57)【要約】【課題】使用時に痛みや圧迫感を与えず、又、擦過傷や褥瘡を誘発せず、入浴時には水切れがよく、洗濯乾燥等のメンテナンス（維持管理）が容易であり、柔軟可撓で肌触りがよく、肌身に優しいスリングシートを得る。【解決手段】線状や帯状の補強材によって補強されていない糸条の連続した１枚の織編布帛１１の周縁部分に吊り具１２を設けてスリングシート２３を構成する。織編布帛の肌身に触れる表面を公定水分率５％以下の疎水性繊維によって構成する。織編布帛のＪＩＳ−Ｌ−１０１８による通気度を１５０ｃｃ／ｃｍ2 ・ｓｅｃ以上にし、スリングシートの幅方向Ｘにおいて織編布帛の伸度１０％に伸長時のＪＩＳ−Ｌ−１０１８による伸長力Ｆ（単位：Ｎ／５ｃｍ）を１００≦Ｆ≦６００とする。織編布帛１１は、表編地１３と裏編地１４を連結糸１５によって連結して成るダブルラッシェル経編地とするとよい。【選択図】図１
2006263314.tif 000002
【特許請求の範囲】
【請求項１】
織編布帛（１１）の周縁部分に吊り具（１２）を設けて構成され、その織編布帛の肌身に触れる表面が公定水分率５％以下の疎水性繊維（短繊維・長繊維）によって構成され、その織編布帛のＪＩＳ−Ｌ−１０１８による通気度が１５０ｃｃ／ｃｍ2 ・ｓｅｃ以上であり、スリングシートの幅方向（Ｘ）において織編布帛の伸度１０％に伸長時のＪＩＳ−Ｌ−１０１８による伸長力Ｆ（単位：Ｎ／５ｃｍ）が１００≦Ｆ≦６００であるスリングシート。
【請求項２】
破断伸度が６０％以上であり、伸度１５％に伸長後の伸長歪み弾性回復率が９０％以上であり、繊度Ｄ（単位：ｄｔｅｘ）が３００≦Ｄ≦３０００のモノフィラメント弾性糸が、単位面積１ｃｍ2 （タテ・ヨコ各１ｃｍ）内に少なくとも１本介在する分布率をもって、織編布帛（１１）の全面に介在している前掲請求項１に記載のスリングシート。
【請求項３】
織編布帛（１１）が、表編地（１３）と裏編地（１４）を連結糸（１５）によって連結して成るダブルラッシェル経編地である前掲請求項１と２の何れかに記載のスリングシート。
【請求項４】
表編地（１３）が単繊維繊度１０ｄｔｅｘ以下の繊維に成る多繊糸条によって編成されており、連結糸（１５）が単繊維繊度１０ｄｔｅｘ以下の繊維に成る多繊糸条によって構成されており、破断伸度が６０％以上であり、伸度１５％に伸長後の伸長歪み弾性回復率が９０％以上であり、繊度Ｄ（単位：ｄｔｅｘ）が３００≦Ｄ≦３０００のモノフィラメント弾性糸が、裏編地（１４）に編み込まれている前掲請求項３に記載のスリングシート。
【請求項５】
（ａ）  裏編地（１４）が、裏経糸（１６）の形成する鎖編目列間（１７・１７）を挿入糸（１８）によって連結して編成され、それらの裏経糸（１６）と挿入糸（１８）にモノフィラメント弾性糸が適用されており、
（ｂ）  表編地（１３）が、表経糸のニードルループとシンカーループが組織する編組織部（２５）と、表経糸のニードルループとシンカーループが組織することなく残された空白部（１９）とによって模様状に編成され、
（ｃ）  その表編地（１３）の編組織部（２５）が裏編地（１４）から隆起した凸部を形成し、その表編地（１３）の空白部（１９）が編組織部（２５）に相対して窪んだ凹部を形成しており、
（ｄ）  それら空白部（１９）と編組織部（２５）が、織編布帛（１１）の縦横各２ｃｍとなる矩形単位面積内（４ｃｍ2 ）に共存し所要の間隔をもって織編布帛の全面に分布しており、
（ｅ）  空白部（１９）と空白部（１９）の間に挟まれる編組織部内（２５）の表面積ｓが織編布帛（１１）の表面積（片面）Ｓに占める開口面積比率ρ（単位：％）が１０≦ρ≦６０である前掲請求項４に記載のスリングシート。
【請求項６】
表編地の空白部（１９）の大きさが、その空白部（１９）を間に挟む編組織部（２５）と編組織部（２５）の各周縁に直径１〜７ｍｍの内接円が内接する大きさである前掲請求項５に記載のスリングシート。
【請求項７】
スリングシートの長さ方向（Ｙ）において向き合う端縁（２０・２０）と幅方向Ｘにおいて向き合う側縁（２１・２１）との何れかの周縁に沿って吊り紐（２２）が取り付けられており、その吊り紐（２２）の端末によって吊り具（１２）が構成されている前掲請求項１〜６の何れかに記載のスリングシート。
【請求項８】
吊り紐（２２）が、帯状を成し、織編布帛の周縁（２１・２１）に沿って縫合されており、吊り具（１２）が、吊り紐（２２）の端末を折り返して形成した輪奈によって構成されている前掲請求項７に記載のスリングシート。
【発明の詳細な説明】
【技術分野】
【０００１】
本発明は、主として高齢者、身障者、病人等の被介護者を載せて移動する際に、特に、入浴時の移動において使用されるスリングシートに関するものである。
【背景技術】
【０００２】
スリングシートは、周縁を含む布帛３５の全面に、縦横に（図４−ａ）、或いは、斜めに（図４−ｂ）、帯状補強材３３を縫合し、その帯状補強材３３を介して布帛に吊り具を設けて構成されており、入浴時等の移動の際には、被介護者をスリングシートに載せ、吊り具をリフター（クレーン）に引っ掛けて吊り上げ、或いは、介護者数名が吊り具を掴んで持ち上げるなどして使用される（例えば、特許文献１、２参照）。
【特許文献１】特開２００１−０８７３２４号公報
【特許文献２】特開２００１−１０４４０６号公報
【発明の開示】
【発明が解決しようとする課題】
【０００３】
従来のスリングシートは、シートベルト程ではないとしても伸度１０％に伸長時の伸長力が１０００（Ｎ／５ｃｍ）を超える強靱な帯状補強材３３が張りめぐらされており、恰も、帯状補強材３３に成るネット状構造物の隙間を布帛３５で塞いだかの如き構造を成し、帯状補強材が布帛に被覆されているとしても、或いは、被介護者が浴衣を着けるとしても、帯状補強材が布帛に比して余りにも硬く、被介護者の体重が帯状補強材に集中し、時として帯状補強材が肌身に食い込むかの如き痛みを与え、擦過傷や褥瘡を誘発する。
【０００４】
その点、分厚い布帛３５を使用すれば、帯状補強材３３から受ける痛みが和らぐとしてもゴワゴワして肌触りが悪く擦過傷は回避されず、布帛３５が分厚ければジメジメして肌触りが悪いだけではなく褥瘡を誘発することにもなり、入浴時には水切れが悪く、仮に可撓性に富む柔らかい布帛を使用するとしても、布帛３５が分厚ければ洗濯し難く、洗濯時に使用の洗剤や消毒剤が残存し、それが皮腐障害を誘発することにもなる。
そして、帯状補強材にゴムベルトのように可撓なものを使用すれば、スリングシートに包み込まれるかの如き圧迫感を与え、又、帯状補強材と布帛との伸縮差によって、それらを縫合するミシン糸目が解れ易くなり、スリングシートの耐久性が損なわれる。
【０００５】
そこで本発明は、帯状補強材を使用することなく、経糸や緯糸が連続した一枚の織編布帛によって構成され、痛みや圧迫感を与えず、擦過傷や褥瘡を誘発せず、入浴時には水切れがよく、洗濯乾燥等のメンテナンス（維持管理）が容易であり、柔軟可撓で肌触りがよく、肌身に優しいスリングシートを得ることを目的とする。
【課題を解決するための手段】
【０００６】
即ち、本発明に係るスリングシートは、織編布帛１１の周縁部分に吊り具１２を設けて構成され、その織編布帛の肌身に触れる表面が公定水分率５％以下の疎水性繊維（短繊維・長繊維・モノフィラメント糸を含む）によって構成され、その織編布帛のＪＩＳ−Ｌ−１０１８による通気度が１５０ｃｃ／ｃｍ2 ・ｓｅｃ以上であり、スリングシートの幅方向Ｘにおいて織編布帛の伸度１０％に伸長時のＪＩＳ−Ｌ−１０１８による伸長力Ｆ（単位：Ｎ／５ｃｍ）が１００≦Ｆ≦６００であることを第１の特徴とする。
ここに、伸度１０％に伸長時のＪＩＳ−Ｌ−１０１８による伸長力Ｆは、ＪＩＳ−Ｌ−１０１８に規定される試験方法において、試験片（織編布帛）の幅を５ｃｍとし、試験片の掴み間隔を１５ｃｍとし、引張速度を５ｃｍ／ｍｉｎとして測定される。
【０００７】
本発明に係るスリングシートの第２の特徴は、上記第１の特徴に加えて、破断伸度が６０％以上であり、伸度１５％に伸長後の伸長歪み弾性回復率が９０％以上であり、繊度Ｄ（単位：ｄｔｅｘ）が３００≦Ｄ≦３０００のモノフィラメント弾性糸が、単位面積１ｃｍ2 （タテ・ヨコ各１ｃｍ）内に少なくとも１本介在する分布率をもって、織編布帛１１の全面に介在している点にある。
【０００８】
本発明に係るスリングシートの第３の特徴は、上記第１、第２の特徴に加えて、織編布帛１１が、表編地１３と裏編地１４を連結糸１５によって連結して成るダブルラッシェル経編地である点にある。
【０００９】
本発明に係るスリングシートの第４の特徴は、上記第３の特徴に加えて、表編地１３が単繊維繊度１０ｄｔｅｘ以下の繊維に成る多繊糸条によって編成されており、連結糸１５が単繊維繊度１０ｄｔｅｘ以下の繊維に成る多繊糸条によって構成されており、破断伸度が６０％以上であり、伸度１５％に伸長後の伸長歪み弾性回復率が９０％以上であり、繊度Ｄ（単位：ｄｔｅｘ）が３００≦Ｄ≦３０００のモノフィラメント弾性糸が、裏編地１４に編み込まれている点にある。
【００１０】
本発明に係るスリングシートの第５の特徴は、上記第４の特徴に加えて、（ａ）  裏編地１４が、裏経糸１６の形成する鎖編目列間１７・１７を挿入糸１８によって連結して編成され、それらの裏経糸１６と挿入糸１８にモノフィラメント弾性糸が適用されており、（ｂ）  表編地１３が、表経糸のニードルループとシンカーループが組織する編組織部２５と、表経糸のニードルループとシンカーループが組織することなく残された空白部１９とによって模様状に編成され、（ｃ）  その表編地１３の編組織部２５が裏編地１４から隆起した凸部を形成し、その表編地１３の空白部１９が編組織部２５に相対して窪んだ凹部を形成しており、（ｄ）  それら空白部１９と編組織部２５が、織編布帛１１の縦横各２ｃｍとなる矩形単位面積内（４ｃｍ2 ）に共存し所要の間隔をもって織編布帛の全面に分布しており、（ｅ）  空白部１９と空白部１９の間に挟まれる編組織部内２５の表面積ｓが織編布帛１１の表面積（片面）Ｓに占める開口面積比率ρ（単位：％）が１０≦ρ≦６０である点にある。
【００１１】
本発明に係るスリングシートの第６の特徴は、上記第５の特徴に加えて、表編地の空白部１９の大きさが、その空白部１９を間に挟む編組織部２５と編組織部２５の各周縁に直径１〜７ｍｍの内接円が内接する大きさである点にある。
【００１２】
本発明に係るスリングシートの第７の特徴は、上記第１、第２、第３、第４、第５および第６の何れかの特徴に加えて、スリングシートの長さ方向Ｙにおいて向き合う端縁２０・２０と幅方向Ｘにおいて向き合う側縁２１・２１との何れかの周縁に沿って吊り紐２２が取り付けられており、その吊り紐２２の端末によって吊り具１２が構成されている点にある。
【００１３】
本発明に係るスリングシートの第８の特徴は、上記第７の特徴に加えて、吊り紐２２が、帯状を成し、織編布帛の周縁（２１・２１）に沿って縫合されており、吊り具１２が、吊り紐２２の端末を折り返して形成した輪奈によって構成されている点にある。
【発明の効果】
【００１４】
本発明のスリングシート２３は、帯状補強材によって補強されない一枚の連続した織編布帛１１によって構成されており、体重が局部的に集中することなく織編布帛１１の全面に分散し、体重に対する反力が身体の一部に集中作用することがなく、痛みを感じさせない。そして、幅方向Ｘにおける織編布帛の１０％伸長時の伸長力を１００（Ｎ／５ｃｍ）以上としたので、帯状補強材による織編布帛の補強を必要とせず、又、織編布帛が伸びて身体が包み込まれたかの如き圧迫感や窮屈感を与えない。
又、幅方向Ｘにおける織編布帛の１０％伸長時の伸長力を６００（Ｎ／５ｃｍ）以下としたので、スリングシート２３が姿勢に追随して曲折変形し、織編布帛が肌身に馴染み易く、織編布帛に硬い折れ皺が発生して擦過傷を与えるようなことはない。
そして、帯状補強材による補強がなく、織編布帛の通気度が１５０ｃｃ／ｃｍ2 ・ｓｅｃ以上であり、疎水性繊維によって構成されているので、入浴時の使用においては水切れがよく、蒸れ感を与えず、褥瘡を誘発せず、洗濯時には洗剤や消毒剤が吸着せず、水洗後に残存する洗剤や消毒剤が皮腐障害を誘発することもなく、乾燥し易く、スリングシートのメンテナンスが容易になる。
【００１５】
本発明のスリングシートは、モノフィラメント弾性糸が、細かく均等に織編布帛１１の全面に分布しているので、被介護者の姿勢に応じて変形し易く、使用や洗濯後に歪みが残ることはなく、糸条が連続した織編布帛１１の原形が弾性的に保たれ、メンテナンスが容易になる。そして、モノフィラメント弾性糸の単糸繊度が３００ｄｔｅｘ以上なので織編組織構造としての布目（糸条間隙間）２４も大きく、それが透水孔や通気孔として効用を発揮するので通気性が高まり、糸条間の隙間（２４）に湿気が溜まり難く、又、モノフィラメント弾性糸それ自体が可撓性に富み、その単糸繊度が３０００ｄｔｅｘ以下なので肌身に馴染み易くなる。
【００１６】
織編布帛１１を二重構造にしたものでは、入浴時に吸着する水分が表裏二層に分散し、肌身に触れる水分が半減することになるが、特に、表裏１３・１４を連結糸１５によって連結し、表裏間に連結糸だけで構成される空隙層を形成したものでは、その表編地１３に含まれる水分が肌身によって押し出され、それが連結糸１５を伝って裏編地１４へと移行するので、スリングシートの水切れがよくなる。
【００１７】
特に、表編地１３を繊度１０ｄｔｅｘ以下の繊維によって構成し、裏編地１４を繊度Ｄが３００≦Ｄ≦３０００（ｄｔｅｘ）のモノフィラメント弾性糸によって構成し、それら表編地１３と裏編地１４を結ぶ連結糸１５を繊度１０ｄｔｅｘ以下の繊維によって構成したものでは、水分が連結糸１５を介して裏編地１４へと毛細管現象によって移行し易く、その移行して水分を保持することになる裏編地１４が保水能力のない繊度Ｄが３００≦Ｄ≦３０００（ｄｔｅｘ）のモノフィラメント弾性糸に成るため、その移行した水分が裏編地１４から垂れ落ち易く、スリングシートの水切れが更によくなる。その表編地１３や連結糸１５の繊維に比して著しく太いモノフィラメント弾性糸は、肌身に触れない裏編地１４に使用されているので、スリングシートの肌触りを阻害せず、肌身に触れる表編地１３が繊度１０ｄｔｅｘ以下の繊維に成り、而も、表編地１３が連結糸１５に弾性的に支えられているので、ソフトタッチで肌触りのよいスリングシートが得られる。
【００１８】
更に、表編地１３に空白部１９が細かく分布しており、その空白部１９の全面に占める面積比率ρ（％）を１０≦ρ≦６０としたものでは、その空白部１９の容積分だけ表編地１３の保水容量が少なくなり、表編地１３に水分が溜まり難く、蒸れ感を与えず、爽快感のあるスリングシートが得られる。
【００１９】
その表編地１３の空白部１９の大きさを直径１〜７ｍｍの内接円が内接する大きさにしたものでは、編組織部の凸部２５が肌身を押圧して痛く感じられるようなことがなく、スリングシートの使用による褥瘡その他の皮腐障害が回避される。
【００２０】
裏経糸１６の形成する鎖編目列間１７・１７を挿入糸１８で連結して構成される裏編地１４において、挿入糸１８は、裏経糸１６の形成する鎖編目列１７のニードルループ２６とシンカーループ２７が係合する連鎖箇所２８でコース方向Ｃに折り返されるが、本発明のスリングシートのように、繊度３００ｄｔｅｘ以上のモノフィラメント弾性糸を裏経糸１６に使用したものでは、その連鎖箇所２８に連結糸１５が絡み付いていることもあって、その連鎖箇所が硬く太い結び目のようになる。このため、その連鎖箇所２８で折り返されてコース方向Ｃに平行に続く折返前後の挿入糸１８と挿入糸１８の間に、その連鎖箇所の結び目の大きさに応じた大きい隙間２４が出来、又、挿入糸１８が嵩張らないモノフィラメント弾性糸なので、この隙間が挿入糸１８が膨らんで塞ぐことがなく隙間２４の状態が維持されるので、裏編地１４は、メッシュ（網）状になり、表編地１３が空白部１９を有することと相俟って、スリングシートの透水・通気性が高まり、水切れがよくなる。
【００２１】
本発明のスリングシートの周縁には吊り紐２２が取り付けられるが、スリングシートの周縁は肌身を直接押圧することない部分であり、その吊り紐２２が肌身を押圧して痛みを感じさせることはない。
吊り具１２は、その吊り紐２２の端末によって構成され、使用時にリフター２９から吊り具１２に作用する外力は、その吊り具１２から吊り紐２２に伝わり、織編布帛全体１１に分散するので、そのリフターからの外力によって織編布帛１１が破れることはない。
【発明を実施するための最良の形態】
【００２２】
吊り紐２２は、織編布帛１１の周縁２０を折り返して筒状トンネル３０を形成し、そのトンネル内に挿通して織編布帛に装着することが出来る（図３−ａ）。帯状を成す吊り紐２２では、それを織編布帛の周縁２１に縫合することも出来る（図３−ｂ）。
吊り紐２２を取り付けない周縁２１は、折り返して二重に縫合した折返縁３２とし、或いは、解れ止めテープ３１によって縁取ることも出来る。このように周縁に設けられる折返縁３２や解れ止めテープ３１は、吊り紐２２とは異なり、肌身に強く直接触れることがなく、本発明の効果を損なわない。
【００２３】
表編地１３は、図１と図２に図示するように、編組織部２５が、空白部１９を囲んで縁取り、表編地１３の縦横に連続し、空白部１９が編組織部２５に仕切られて、網目模様状を成すように編成することが出来る。
表編地１３は、又、空白部１９と編組織部２５が平行に連続し、編組織部２５が裏編地１４から隆起した凸畝を形成し、空白部１９か編組織部２５と編組織部２５に挟まれた凹溝を形成したストライプ模様状を成すように編成することも出来る。
表編地１３は、更に、空白部１９を海とし、編組織部２５が裏編地１４から隆起して空白部１９の海に囲まれた島を形成した水玉模様状や市松模様状を成すように編成することも出来る。
【００２４】
織編布帛の柔軟・可撓性を高めるためには、織編布帛の１０％に伸長時の伸長力Ｆを１００≦Ｆ≦３００（Ｎ／５ｃｍ）にし、又、織編布帛に使用するモノフィラメント弾性糸の繊度Ｄを３００≦Ｄ≦１０００（ｄｔｅｘ）にするとよい。
特に、裏経糸１６の形成する鎖編目列間１７・１７を挿入糸１８によって連結して裏編地１４を編成し、裏経糸１６と挿入糸１８にモノフィラメント弾性糸を適用し、表編地１３にコースゲージＧの４倍以上の長さＬにわたってウェール方向Ｗに続く空白部１９を形成する場合、コースとコースの間の挿入糸１８と挿入糸１８の間に隙間２４が確実に形成されるようにするには、裏経糸１６としてのモノフィラメント弾性糸の繊度Ｄを４００≦Ｄ（ｄｔｅｘ）とし、挿入糸１８としてのモノフィラメント弾性糸の繊度ＤをＤ≦１０００（ｄｔｅｘ）とすることが望ましい。又、織編布帛の柔軟・可撓性を高めるためには、それを織構造（織物）とせず、糸条がニードルループやシンカーループを形成して曲折する編構造（編物）とするとよい。
【００２５】
織編布帛の厚みは、スリングシートの縫製を容易にする上では１０ｍｍ以下にすることが望ましいが格別限定されず、特に、表地（１３）と裏地（１４）を連結糸１５によって連結した二重構造にするときは厚みを１０ｍｍ以上とすることが出来る。しかし、表編地１３にコースゲージＧの４倍以上の長さＬにわたってウェール方向Ｗに続く空白部１９を形成する場合、連結糸１５に押し上げられて凸部を構成することになる表編地１３の編組織部の部分からの肌身への刺激を避けるために、表編地１３と裏編地１４を含む織編布帛全体の厚みを１０ｍｍ以上にし、又、連結糸１５には、単繊維繊度が１０ｄｔｅｘ以下であり、総繊度が４００ｄｔｅｘ以下の細手の多繊糸条を用い、表編地１３と裏編地１４の間に介在する連結糸１５の介在密度を粗くし、表編地１３と裏編地１４の間に直立状態に編み込まれる連結糸１５が押し潰され、凸部２５の高さが実質的に３ｍｍ以下になるようにするとよい。
【００２６】
織編布帛の肌触りをよくするためには、単繊維繊度が１０ｄｔｅｘ以下の多繊糸条を使用することが望まれるが、単繊維繊度が余り細くなると、糸条に占める繊維の表面積が大きく、糸条内の繊維間隙間も細かく緻密になって糸条の保水性が高まり、スリングシートの水切れ性が損なわれる。この点を考慮して、多繊糸条を構成する繊維の繊度は１ｄｔｅｘ以上に、好ましくは、２〜７ｄｔｅｘにする。
尚、本発明において、「多繊糸条」とは、多数の繊維によって構成されている糸条を意味し、それには紡績糸とマルチフィラメント糸の他に、モール糸のように多数のパイル毛羽を有する糸条も含まれる。
【００２７】
織編布帛には、速乾性を高めるための撥水剤や、清潔性を保つための抗菌剤、その他の機能性を高める処理が適宜施されるが、そのことは本発明の範囲を何ら縮限するものではない。
織編布帛は、長方形（図３−ａ、図３−ｂ）や台形（図３−ｃ）を成すものであってもよく、その裁断される形状、或いは、吊り具の取付位置や取付個数は、本発明の範囲を何ら縮限するものではない。
以下に、実施例に基づき本発明を具体的に説明するが、本発明は実施例に限定されるものではない。
【実施例】
【００２８】
六枚筬を装備した１１ゲージ、釜間２．４ｍｍのダブルラッセル経編機を用い、第１筬Ｌ1 と第２筬Ｌ2 には表経糸としてポリエステルウーリー糸（１６７ｄｔｅｘ，４８ｆ×２）を通し、第３筬Ｌ3 には連結糸としてポリエステルウーリー糸（１６７ｄｔｅｘ，４８ｆ×２）を通し、第４筬Ｌ4 には裏経糸としてポリエステルモノフィラメント弾性糸（東洋紡績株式会社製品名ダイヤフローラ，５００ｄｔｅｘ・１ｆ）を通し、第５筬Ｌ5 と第６筬Ｌ6 には裏編地挿入糸としてポリエステルモノフィラメント弾性糸（東洋紡績株式会社製品名ダイヤフローラ，５００ｄｔｅｘ・１ｆ）を通し、下記に編組織により、コース密度を２０コース／２５．４ｍｍ、ウェール密度を１１ウェール／２５．４ｍｍとし、機上幅が１６３ｃｍのダブルラッセル経編生地を編成し、１８５℃にて１０分間の乾熱処理を行い、仕上幅が１５６ｃｍ幅、コース密度が２３コース／２５．４ｍｍ、ウェール密度が１２ウェール／２５．４ｍｍのダブルラッシェル経編地を得た。
そのダブルラッシェル経編地のコース方向Ｃにおける１０％に伸長時の伸長力（Ｆ）は１６８（Ｎ／５ｃｍ）であり、厚みは２．２ｍｍ、通気度は２５８ｃｃ／ｃｍ2 ・ｓｅｃ    、表編地の空白部１９の全面に占める面積比率ρ（％）は１８．５％であった。
【００２９】
（編組織）
Ｌ1 ：４５６６／８９６６／５４４４／４５５５／５４３３／１０３３／４５５５／５４４４／………………
Ｌ2 ：５４３３／１０３３／４５５５／５４４４／４５６６／８９６６／５４４４／４５５５／………………
Ｌ3 ：０１０１／１０１０／………………
Ｌ4 ：０００１／１１１０／………………
Ｌ5 ：５５５５／００００／………………
Ｌ6 ：００００／５５５５／………………
【００３０】
このダブルラッシェル経編地をタテ１０８０ｍｍ、ヨコ７２０ｍｍの長方形に裁断し、長さ方向（ウエール方向Ｗ）において向き合う端縁２０・２０を１５ｍｍ幅で裏編地同士が向き合うように折り畳み、重なり代（幅）が１５ｍｍの折返縁（３２）とする。同様に、幅方向（コース方向Ｃ）において向き合う側縁２１・２１を１５ｍｍ幅で裏編地同士が向き合うように折り畳み、重なり代（幅）が１５ｍｍの折返縁（３２）とする。次いで、幅１６５ｍｍ、長さ２０６０ｍｍのベルト地織物の両端をそれぞれ２００ｍｍ折り返して縫合し、長さ１６６０ｍｍの解れ止めテープ（３１）を２本調製し、それぞれダブルラッシェル経編布帛の折返側縁２１・２１に沿って１５ｍｍ幅で重ね合わせて縫合する。次いで、ダブルラッシェル経編布帛の折返側縁２１から１５０ｍｍ食み出た解れ止めテープ（３１）の食出代をダブルラッシェル経編布帛の幅方向（コース方向Ｃ）に三重巻きに折り返し、解れ止めテープ（３１）が三重になった幅５０ｍｍの帯状吊り紐（２２）を折返側縁２１・２１に沿って縫合する。次いで、ダブルラッシェル経編布帛の四隅からそれぞれ３０５ｍｍ食み出た帯状吊り紐（２２）の食出代を折り返し、その折返代の先端部分を帯状吊り紐本体部分に縫合し、折返代が輪奈状に重なった輪奈状吊り具１２を縫製し、図１に示すスリングシート２３を調製した。
【００３１】
このスリングシート２３は、適度な伸縮性を有し、姿勢に応じて程よく変形し、ソフトで肌触りがよく、それに載せて吊り上げる時、被介護者に局部的刺激や痛みを与えず、又、包み込まれるかの如き圧迫感や窮屈感を与えることもなく、入浴時には水切れがよく、擦過傷や褥瘡を誘発せず、速乾性に優れ、洗濯時等において使用される洗剤や消毒剤が吸着して残存することがなく、使用後に折り皺その他の歪みが残ることなく、拡布された形態を保ち、洗濯乾燥等のメンテナンス（維持管理）も容易であった。
【００３２】
本発明のスリングシートは、肌触りの点で、単繊維繊度１０ｄｔｅｘ以下の繊維に成る多繊糸条によって編成された表編地１３を肌身に触れる表面に向けて使用されるが、繊度Ｄ（単位：ｄｔｅｘ）が３００≦Ｄ≦３０００のモノフィラメント弾性糸が編み込まれている裏編地１４を肌身に触れる表面に向けて使用する場合には、モノフィラメント弾性糸自体が保水能力を持たず、水分が裏編地１４から吐き出され、多繊糸条によって編成されていて保水能力のある表編地１３へと毛細管現象によって移行する。つまり、表編地１３が水分を吸い取る吸取紙のように裏編地１４に作用するので、裏編地１４の水切れがよく、蒸れ感を与えず、その表面が平坦であって局部的に肌身を強く押圧することはない。
従って、本発明の範囲は、表編地１３と裏編地１４の何れを肌身に触れる表面に向けてスリングシートを使用するか、その使用の仕方によっては縮限されない。
【図面の簡単な説明】
【００３３】
【図１】本発明に係るスリングシートの使用状態での斜視図であり、一部を縁で囲んで拡大して図示している。
【図２】本発明に係るスリングシートの要部拡大斜視図である。
【図３】本発明に係るスリングシートの平面図である。
【図４】従来技術に係るスリングシートの平面図である。
【符号の説明】
【００３４】
１１：織編布帛
１２：吊り具
１３：表編地
１４：裏編地
１５：連結糸
１６：裏経糸
１７：鎖編目列
１８：挿入糸
１９：空白部（凹部）
２０：端縁
２１：側縁
２２：吊り紐
２３：スリングシート
２４：布目（隙間）
２５：編組織部（凸部）
２６：ニードルループ
２７：シンカーループ
２８：連鎖箇所
２９：リフター
３０：トンネル
３１：帯状補強材
３２：折返縁
３３：解れ止めテープ
３４：吊り具
３５：布帛
Ｃ：コース方向
Ｇ：コースゲージ
Ｌ：開口の長さ
Ｗ：ウェール方向
Ｘ：幅方向
Ｙ：長さ方向
【図１】
2006263314.tif 000003
【図２】
2006263314.tif 000004
【図３】
2006263314.tif 000005
【図４】
2006263314.tif 000006